(57)【要約】【課題】所定エリア等の中においても、第三者による無線端末機等の不正使用を防止することができる無線端末、設定制御方法及びプログラムを提供すること。【解決手段】本発明にかかる無線端末１０１は、外部機器１１１を用いて制御される無線端末であって、無線端末１０１が予め定められた有効エリア内に位置しているか否かを判定する位置判定部１０２と、外部機器１１１が無線端末１０１を制御することが許可されているか否かを外部機器１１１の識別情報を用いて判定する機器判定部１０３と、無線端末１０１が有効エリア内に位置し、かつ、外部機器１１１が無線端末１０１を制御することを許可されていると判定された場合、無線端末１０１を使用可能状態にする制御部１０４と、を備えるものである。【選択図】図１
2014027472.tif 000002
【特許請求の範囲】
【請求項１】
外部機器を用いて制御される無線端末であって、
前記無線端末が予め定められた有効エリア内に位置しているか否かを判定する位置判定部と、
前記外部機器が前記無線端末を制御することが許可されているか否かを前記外部機器の識別情報を用いて判定する機器判定部と、
前記無線端末が前記有効エリア内に位置し、かつ、前記外部機器が前記無線端末を制御することを許可されていると判定された場合、前記無線端末を使用可能状態にする制御部と、を備える無線端末。
【請求項２】
前記制御部は、
前記無線端末が前記有効エリア内に位置し、かつ、前記外部機器が前記無線端末を制御することを許可されていると判定された場合、前記無線端末に対する電源供給を継続し、
前記無線端末が前記有効エリア外に位置する、又は、前記外部機器が前記無線端末を制御することを許可されていないと判定された場合、前記無線端末に対する電源供給を停止する、請求項１に記載の無線端末。
【請求項３】
前記機器判定部は、
前記無線端末の電源供給が開始された後に、前記外部機器が接続されているか否かを判定し、
前記制御部は、
前記外部機器が接続されていないと判定された場合、前記無線端末に対する電源供給を停止する、請求項１又は２に記載の無線端末。
【請求項４】
前記有効エリアに関する位置情報と、前記無線端末を制御することが許可されている前記外部機器の識別情報とを格納する記憶部をさらに備え、
前記位置判定部は、
前記無線端末の現在位置に関する情報と、前記記憶部に格納されている前記有効エリアに関する位置情報とに基づいて前記無線端末が前記有効エリア内に位置しているか否かを判定し、
前記機器判定部は、
前記無線端末の電源が供給された後に、前記外部機器から取得した前記外部機器の識別情報と、前記記憶部に格納されている識別情報とに基づいて前記外部機器が前記無線端末を制御することが許可されているか否かを判定する、請求項１乃至３のいずれか１項に記載の無線端末。
【請求項５】
前記位置判定部は、
ＧＰＳ情報を用いて前記無線端末が有効エリア内に位置しているか否かを判定する、請求項１乃至４のいずれか１項に記載の無線端末。
【請求項６】
前記機器判定部は、
前記外部機器のＭＡＣアドレスを用いて前記外部機器が前記無線端末を制御することが許可されているか否かを判定する、請求項１乃至５のいずれか１項に記載の無線端末。
【請求項７】
着脱可能な外部キーが装着されているか否かを判定する外部キー検出部をさらに備え、
前記制御部は、
前記外部キーが接続されていないと判定された場合、前記無線端末に対する電源供給を停止する、請求項１乃至６のいずれか１項に記載の無線端末。
【請求項８】
外部機器を用いて制御される無線端末の設定制御方法であって、
前記外部機器が前記無線端末を制御することが許可されているか否かを前記外部機器の識別情報を用いて判定し、
前記無線端末が予め定められた有効エリア内に位置しているか否かを判定し、
前記無線端末が前記有効エリア内に位置し、かつ、前記外部機器が前記無線端末を制御することを許可されていると判定された場合、前記無線端末を使用可能状態にする、設定制御方法。
【請求項９】
外部機器を用いて制御される無線端末のコンピュータに実行させるプログラムであって、
前記外部機器が前記無線端末を制御することが許可されているか否かを前記外部機器の識別情報を用いて判定するステップと、
前記無線端末が予め定められた有効エリア内に位置しているか否かを判定するステップと、
前記無線端末が前記有効エリア内に位置し、かつ、前記外部機器が前記無線端末を制御することを許可されていると判定された場合、前記無線端末を使用可能状態にするステップとをコンピュータに実行させるプログラム。
【発明の詳細な説明】
【技術分野】
【０００１】
本発明は無線端末に関し、特に外部機器を用いて制御される無線端末に関する。
【背景技術】
【０００２】
近年、携帯電話端末等の移動通信装置は、日々の生活のなかの様々な場面において使用されている。例えば、移動通信装置は、決済端末として用いられたり、パーソナルコンピュータ等と同様のインターネットアクセスを行うために用いられたりする。このようにして、移動通信装置の高機能化は急速に進められている。しかし、移動通信装置は持ち運びが容易であるため、置き忘れや盗難等の被害にあう場合が多い。高機能化が進んだ移動通信装置を第三者によって不正使用された場合、移動通信装置の持ち主の損害は大きくなる。そのため、置き忘れや、盗難等によって移動通信装置が第三者に所有されることとなった場合に、その第三者による移動通信装置の不正使用を防止する技術が望まれている。
【０００３】
特許文献１には、無線端末機が所定エリア内にあるか否かを判別し、所定エリアの外にあると判別された場合に、無線端末機の内部データを変更して使用不能状態にすることを特徴とするセキュリティシステムが開示されている。特許文献１に開示されているセキュリティシステムにおいては、所定エリア内にある無線端末機の使用については特に制限されない。
【０００４】
特許文献２には、プロジェクタの現在位置が使用位置範囲内になく、プロジェクタの識別情報及び位置情報を外部の通信装置へ送信することができた場合に、使用可能となるプロジェクタが開示されている。また、特許文献２においては、使用位置範囲内にあるプロジェクタの使用については特に制限されない。
【先行技術文献】
【特許文献】
【０００５】
【特許文献１】特開２００１−３２０７７６号公報
【特許文献２】特開２００９−１０９９４０号公報
【発明の概要】
【発明が解決しようとする課題】
【０００６】
しかし、特許文献１及び２においては、所定エリアもしくは使用位置範囲（以下、所定エリア等）内にある無線端末機もしくはプロジェクタ（以下、無線端末機等）の使用は制限されない。そのため、所定エリア等の中における第三者の無線端末機等の使用を停止させることができない。つまり、特許文献１及び２に開示されている方法は、所定エリア等の中における第三者の無線端末機等の不正使用を防止することができない。
【０００７】
本発明は、このような問題を解決するために、所定エリア等の中においても、第三者による無線端末機等の不正使用を防止することができる無線端末、設定制御方法及びプログラムを提供することを目的とする。
【課題を解決するための手段】
【０００８】
本発明の第１の態様にかかる無線端末は、外部機器を用いて制御される無線端末であって、前記無線端末が予め定められた有効エリア内に位置しているか否かを判定する位置判定部と、前記外部機器が前記無線端末を制御することが許可されているか否かを前記外部機器の識別情報を用いて判定する機器判定部と、前記無線端末が前記有効エリア内に位置し、かつ、前記外部機器が前記無線端末を制御することを許可されていると判定された場合、前記無線端末を使用可能状態にする制御部と、を備えるものである。
【０００９】
本発明の第２の態様にかかる設定制御方法は、外部機器を用いて制御される無線端末の設定制御方法であって、前記外部機器が前記無線端末を制御することが許可されているか否かを前記外部機器の識別情報を用いて判定し、前記無線端末が予め定められた有効エリア内に位置しているか否かを判定し、前記無線端末が前記有効エリア内に位置し、かつ、前記外部機器が前記無線端末を制御することを許可されていると判定された場合、前記無線端末を使用可能状態にするものである。
【００１０】
本発明の第３の態様にかかるプログラムは、外部機器を用いて制御される無線端末のコンピュータに実行させるプログラムであって、前記外部機器が前記無線端末を制御することが許可されているか否かを前記外部機器の識別情報を用いて判定するステップと、前記無線端末が予め定められた有効エリア内に位置しているか否かを判定するステップと、前記無線端末が前記有効エリア内に位置し、かつ、前記外部機器が前記無線端末を制御することを許可されていると判定された場合、前記無線端末を使用可能状態にするステップとをコンピュータに実行させるものである。
【発明の効果】
【００１１】
本発明により、所定エリア等の中においても、第三者による無線端末機等の不正使用を防止することができる無線端末、設定制御方法及びプログラムを提供することができる。
【図面の簡単な説明】
【００１２】
【図１】実施の形態１にかかる無線端末の構成図である。
【図２】実施の形態１にかかる無線端末の構成図である。
【図３】実施の形態１にかかる記憶モジュールの構成図である。
【図４】実施の形態１にかかる制御部の処理の流れを示す図である。
【図５】実施の形態２にかかる無線端末の構成図である。
【図６】実施の形態２にかかる制御部の処理の流れを示す図である。
【発明を実施するための形態】
【００１３】
（実施の形態１）
以下、図面を参照して本発明の実施の形態について説明する。図１を用いて、本発明の実施の形態１にかかる無線端末機１０１の構成例について説明する。無線端末機１０１は、位置判定部１０２と、機器判定部１０３と、制御部１０４とを備えている。制御部１０４は、所定の通信手段１１０を介して外部機器１１１と接続されている。
【００１４】
無線端末機１０１は、例えば、携帯電話端末や、スマートフォン端末、タブレット型端末、ノートブック型パーソナルコンピュータ等、持ち運びが容易な通信端末である。
【００１５】
位置判定部１０２は、無線端末機１０１が予め定められた有効エリア内に位置しているか否かを判定する。有効エリアとは、無線端末機１０１の使用が許可されているエリアである。例えば、有効エリアは、移動通信装置における基地局が管理するセルエリアであってもよい。また、有効エリアは、複数のセルエリアを組み合わせたエリアであってもよい。
【００１６】
有効エリアは、無線端末機１０１を用いて設定されてもよく、外部機器１１１等によって設定されてもよい。有効エリアは、無線端末機１０１を保持する者もしくは外部機器１１１を操作する者によって、あらかじめ設定されている。有効エリアに関する情報は、無線端末機１０１内のメモリ等において保持されてもよい。
【００１７】
機器判定部１０３は、接続されている外部機器１１１が無線端末機１０１を制御することが許可されている機器であるか否かを外部機器１１１の識別情報を用いて判定する。外部機器１１１が無線端末機１０１を制御する具体例について以下に説明する。
【００１８】
外部機器１１１は、無線端末機１０１を制御するために、無線端末機１０１と共に持ち運びが容易な機器である。外部機器１１１は、例えば、無線端末機１０１と同じ携帯電話端末等の無線端末機であってもよい。もしくは、外部機器１１１は、無線端末機１０１を制御するための専用装置等であってもよい。もしくは、外部機器１１１は、無線端末機１０１と無線ＬＡＮや、３ＧＰＰにおいて規定されているＬＴＥ、ＷｉＭＡＸ等を介して接続されるモバイルルータであってもよい。もしくは、外部機器１１１は、ノートブック型パーソナルコンピュータ（以下、ＰＣと称する）であってもよい。
【００１９】
例えば、無線端末機１０１と外部機器１１１とは、ＵＳＢインタフェースを用いた有線ケーブルを介して接続される。もしくは、無線端末機１０１と外部機器１１１とは、赤外線等の近距離無線通信を介して接続されてもよい。さらに、無線端末機１０１と外部機器１１１とは、無線ＬＡＮ、ＬＴＥ又はＷｉＭＡＸ等を介して接続されてもよい。外部機器１１１は、例えば、無線端末機１０１の電源がＯＮ状態となった場合に、無線端末機１０１を使用可能状態とするように制御を行う。外部機器１１１は、例えば、ユーザからの入力を受け付ける無線端末機１０１の情報入力インタフェースを使用可能にしたり、データ通信機能及び通話機能等の無線端末機１０１に搭載されている機能を使用可能にしたりする。
【００２０】
外部機器１１１の識別情報とは、例えば、外部機器１１１に割り当てられているＭＡＣ（Media Access Control）アドレスや、ＩＰアドレス等であってもよい。もしくは、外部機器１１１を識別するために割り当てられているその他の識別子等であってもよい。
【００２１】
制御部１０４は、無線端末機１０１が有効エリア内に位置し、かつ、外部機器１１１が無線端末１０１を制御することを許可されていると判定された場合、外部機器１１１が無線端末機１０１を制御することを許可する。言い換えると、これらの条件が満たされない場合、外部機器１１１は、無線端末機１０１を制御することができないため、ユーザは、無線端末機１０１を使用することができない。
【００２２】
以上説明したように、図１の無線端末機１０１を用いることにより、無線端末機１０１が有効エリア内に位置する場合においても、外部機器１１１が、無線端末機１０１を制御することができる装置として予め許可されているかを判定する。さらに、外部機器１１１は、許可されている装置であると判定された場合に、無線端末機１０１を制御して、使用可能状態とすることができる。これにより、無線端末機１０１を手にした第三者が、有効エリア内において無線端末機１０１を使用することを試みた場合においても、無線端末機１０１を制御することができる外部機器１１１を保持していない場合、無線端末機１０１を使用することができない。
【００２３】
続いて、図２を用いて本発明の実施の形態１にかかる無線端末機１０１の一つの例として携帯電話端末１の詳細な構成例について説明する。携帯電話端末１は、無線モジュール１１と、ＧＰＳモジュール１２と、記憶モジュール１３と、外部Ｉ／Ｆ１４と、制御部１５とを備えている。さらに、制御部１５は、ＭＡＣアドレス比較部１６と、位置情報比較部１７と、外部機器接続検出部１８と、電源制御部１９と、を備えている。
【００２４】
無線モジュール１１は、移動通信ネットワークにおける無線基地局と通信を行う。無線モジュール１１は、予め定められている無線方式を用いて、無線基地局と通信を行う。無線方式は、例えば、３ＧＰＰにおいて規定されているＷ−ＣＤＭＡや、ＬＴＥ等であってもよく、他の標準化団体で規定されている方式であってもよい。
【００２５】
ＧＰＳモジュール１２は、ＧＰＳ衛星から緯度及び経度情報等の位置情報を取得する。さらに、ＧＰＳモジュール１２は、地図情報等を用いて、緯度及び経度情報に対応する地図上の位置を特定してもよい。
【００２６】
記憶モジュール１３は、携帯電話端末１の使用が許可されているエリア（有効エリア）に関する位置情報を格納している。さらに、記憶モジュール１３は、携帯電話端末１を制御することができる外部機器のＭＡＣアドレス情報を格納している。記憶モジュール１３は、複数のＭＡＣアドレス情報を格納してもよい。つまり、携帯電話端末１は、複数の外部機器によって制御されてもよい。本図においては、外部機器の識別情報としてＭＡＣアドレスを用いた例について説明するが、他の識別情報が用いられてもよい。ここで、図３を用いて、記憶モジュール１３に格納されている情報の構成例について説明する。
【００２７】
図３に示されるように、記憶モジュール１３には、位置情報記憶エリアと、識別情報記憶エリアとを有する。位置情報記憶エリアには、複数の位置情報が格納されている。さらに、識別情報記憶エリアにも、複数のＭＡＣアドレスが格納されている。
【００２８】
図２に戻り、外部Ｉ／Ｆ１４は、ＰＣ２と通信を行う。本図においては、外部機器１１１の一例として、ＰＣ２を用いて説明するが、外部機器１１１は、ＰＣ２に限定されない。外部Ｉ／Ｆ１４と、ＰＣ２とは、有線ケーブルや、無線回線等を介して接続される。外部Ｉ／Ｆ１４は、携帯電話端末１に電源が投入されると、ＰＣ２へアクセスし、ＰＣ２のＭＡＣアドレスを取得する。
【００２９】
制御部１５は、無線モジュール１１、ＧＰＳモジュール１２、記憶モジュール１３及び外部Ｉ／Ｆ１４等の各モジュールを制御する。以下に、制御部１５を構成する構成要素について説明する。
【００３０】
ＭＡＣアドレス比較部１６は、外部Ｉ／Ｆ１４を介して取得したＰＣ２のＭＡＣアドレスと、記憶モジュール１３に格納されているＭＡＣアドレス情報とを比較する。つまり、ＭＡＣアドレス比較部１６は、ＰＣ２のＭＡＣアドレスが、記憶モジュール１３に格納されているいずれかのＭＡＣアドレスと一致するか否かを判定する。
【００３１】
位置情報比較部１７は、ＧＰＳモジュール１２において取得した位置情報と、記憶モジュール１３に格納されている位置情報とを比較する。つまり、位置情報比較部１７は、携帯電話端末１の現在位置が、記憶モジュール１３に格納されている有効エリア内に属しているか否かを判定する。
【００３２】
外部機器接続検出部１８は、外部Ｉ／Ｆ１４を介してＰＣ２が接続されているか否かを検出する。例えば、外部機器接続検出部１８は、ＰＣ２が有線ケーブルを介して外部Ｉ／Ｆ１４と接続されている場合、携帯電話端末１に接続されている外部機器があることを検出する。また、外部機器接続検出部１８は、ＰＣ２が近距離無線通信等の無線回線を介して接続されていることを検出してもよい。外部機器接続検出部１８は、ＰＣ２が有線ケーブルを介して接続されておらず、さらにＰＣ２と近距離無線通信等を実行することができない場合、外部機器が接続されていないことを検出する。
【００３３】
電源制御部１９は、ＭＡＣアドレス比較部１６、位置情報比較部１７及び外部機器接続検出部１８における実行結果に基づいて、携帯電話端末１における電源のＯＮ及びＯＦＦの切り替えを制御する。例えば、電源制御部１９は、外部機器接続検出部１８において外部機器が接続されていないことが検出された場合、電源をＯＮ状態からＯＦＦ状態へ切り替える。さらに、電源制御部１９は、位置情報比較部１７において、携帯電話端末１の現在位置が、有効エリア内ではないと判定された場合、電源をＯＮ状態からＯＦＦ状態へ切り替えてもよい。さらに、電源制御部１９は、位置情報比較部１７において、携帯電話端末１の現在位置が有効エリア内であると判定された場合に、ＭＡＣアドレス比較部１６において、ＰＣ２のＭＡＣアドレスが、記憶モジュール１３に格納されているＭＡＣアドレスのいずれとも一致しないと判定された場合、電源をＯＮ状態からＯＦＦ状態へ切り替えてもよい。言い換えると、電源制御部１９は、外部機器接続検出部１８において外部機器との接続を検出し、位置情報比較部１７において、携帯電話端末１の現在位置が有効エリア内であると判定され、ＭＡＣアドレス比較部１６において、外部機器のＭＡＣアドレスが記憶モジュール１３に格納されているＭＡＣアドレスのいずれかと一致する場合、電源をＯＮ状態とする。
【００３４】
続いて、図４を用いて本発明の実施の形態１にかかる制御部１５における処理の流れについて説明する。はじめに、電源制御部１９は、ユーザによる電源ボタンの押下等に基づいて、電源をＯＦＦ状態からＯＮ状態へ遷移させる（Ｓ１０１）。
【００３５】
次に、外部機器接続検出部１８は、外部機器が接続されているか否かを判定する（Ｓ１０２）。外部機器接続検出部１８において、外部機器が接続されていないと判定された場合、電源制御部１９は、電源をＯＮ状態からＯＦＦ状態へ遷移させる（Ｓ１１０）。外部機器接続検出部１８において、外部機器としてＰＣ２が接続されていると判定された場合、ＭＡＣアドレス比較部１６は、外部Ｉ／Ｆ１４を介してＰＣ２から、ＰＣ２のＭＡＣアドレス情報を取得する（Ｓ１０３）。ここで、外部機器接続検出部１８は、外部Ｉ／Ｆ１４を介して外部機器へ信号を送信し、応答信号があった場合に、外部機器が接続されていると判定してもよい。もしくは、外部機器接続検出部１８は、これらの方法に限定されず、異なる方法を用いて外部機器の接続判定を行ってもよい。
【００３６】
次に、ＭＡＣアドレス比較部１６は、記憶モジュール１３に格納されているＭＡＣアドレス情報を読み出す（Ｓ１０４）。次に、ＭＡＣアドレス比較部１６は、外部Ｉ／Ｆ１４を介して取得したＰＣ２のＭＡＣアドレス情報が、記憶モジュール１３から読み出したいずれかのＭＡＣアドレス情報と一致するか否かを判定する（Ｓ１０５）。
【００３７】
ＭＡＣアドレス比較部１６において、ＰＣ２のＭＡＣアドレス情報が、記憶モジュール１３から読み出したいずれのＭＡＣアドレス情報とも一致しないと判定された場合、電源制御部１９は、電源をＯＮ状態からＯＦＦ状態へ遷移させる（Ｓ１１０）。ＭＡＣアドレス比較部１６において、ＰＣ２のＭＡＣアドレス情報が、記憶モジュール１３から読み出したいずれかのＭＡＣアドレス情報と一致すると判定された場合、ＧＰＳモジュール１２は、ＧＰＳ衛星から携帯電話端末１の現在の位置情報を取得する（Ｓ１０６）。ここで、ＧＰＳモジュール１２は、ＭＡＣアドレス比較部１６におけるＭＡＣアドレス情報の取得処理と並行して、携帯電話端末１の現在の位置情報を取得してもよい。
【００３８】
次に、位置情報比較部１７は、記憶モジュール１３に格納されている位置情報を読み出す（Ｓ１０７）。次に、位置情報比較部１７は、ＧＰＳモジュール１２において取得した携帯電話端末１の現在の位置情報が、記憶モジュール１３に格納されている位置情報にて示される有効エリア内であるか否かを判定する（Ｓ１０８）。位置情報比較部１７において、携帯電話端末１の現在の位置情報が有効エリア内ではないと判定された場合、電源制御部１９は、電源をＯＮ状態からＯＦＦ状態へ遷移させる（Ｓ１１０）。位置情報比較部１７において、携帯電話端末１の現在の位置情報が有効エリア内であると判定された場合、携帯電話端末１が使用可能状態に設定される（Ｓ１０９）。電源制御部１９は、電源がＯＮ状態に維持されることにより、携帯電話端末１を使用可能状態に設定してもよい。もしくは、制御部１５は、携帯電話端末１の情報入力インタフェースを起動したり、データ通信機能及び通話機能等を起動し、携帯電話端末１を使用可能状態に設定してもよい。
【００３９】
なお、図４においては、ＭＡＣアドレス比較部１６におけるＭＡＣアドレス判定処理の後に、位置情報比較部１７における位置情報判定処理が実行される処理の流れについて説明したが、位置情報判定処理の後にＭＡＣアドレス判定処理が実行されてもよい。この場合、位置情報比較部１７において、携帯電話端末１の現在位置が有効エリア内であると判定された場合に、ＭＡＣアドレス比較部１６におけるＭＡＣアドレス判定処理が実行される。
【００４０】
以上説明したように、本発明の実施の形態１にかかる無線端末機１０１を用いることにより、無線端末機１０１が有効エリア内に存在する場合においても、無線端末機１０１を制御する外部機器１１１が、無線端末機１０１の制御を許可された機器であるか否かを判定する。これにより、無線端末機１０１が有効エリア内に存在する場合においても、無線端末機１０１に接続されている外部機器１１１が、有効な外部機器１１１ではない場合、無線端末機１０１の使用を防止することができる。
【００４１】
さらに、無線端末機１０１は、外部機器１１１のＭＡＣアドレス情報等の識別情報を取得し、外部機器１１１の有効性を判定するため、無線端末機１０１を操作するユーザによるパスワードの入力操作等が不要となる。これにより、パスワードの漏洩を防止することができるとともに、パスワードを入力するという手間を省くことができる。
【００４２】
（実施の形態２）
続いて、図５を用いて本発明の実施の形態２にかかる携帯電話端末２１の構成例について説明する。図５の携帯電話端末２１は、図２の携帯電話端末１の構成に、外部Ｋｅｙ検出モジュール２２を追加した構成である。携帯電話端末２１における、外部Ｋｅｙ検出モジュール２２以外の構成については、携帯電話端末１と同様であるため、詳細な説明を省略する。
【００４３】
外部Ｋｅｙ検出モジュール２２は、着脱可能な外部Ｋｅｙ３１が携帯電話端末２１に装着されたか否かを判定する。外部Ｋｅｙ３１は、ＵＳＢインタフェースを有するメモリ機器であってもよく、携帯電話端末２１に装着可能なカード型のメモリ機器であってもよく、もしくは、携帯電話端末２１の専用インタフェースに装着される専用装置であってもよい。つまり、外部Ｋｅｙ３１は、携帯電話端末１に装着可能な外部機器であればよい。
【００４４】
電源制御部１９は、外部Ｋｅｙ検出モジュール２２において、外部Ｋｅｙ３１が装着されていないと判定された場合、電源をＯＮ状態からＯＦＦ状態へ遷移させる。電源制御部１９は、外部Ｋｅｙ検出モジュール２２において、外部Ｋｅｙ３１が装着されていると判定された場合、外部機器１１１が接続されているか否か、外部機器１１１のＭＡＣアドレスが有効アドレスか否か、携帯電話端末１の現在位置が有効エリア内であるか否か等に基づいて、携帯電話端末１の電源制御を行う。
【００４５】
続いて、図６を用いて本発明の実施の形態２にかかる制御部１５における処理の流れについて説明する。はじめに、電源制御部１９は、ユーザによる電源ボタンの押下等に基づいて、電源をＯＦＦ状態からＯＮ状態へ遷移させる（Ｓ２０１）。
【００４６】
次に、外部Ｋｅｙ検出モジュール２２は、外部Ｋｅｙ３１が接続されているか否かを判定する（Ｓ２０２）。外部Ｋｅｙ検出モジュール２２において外部Ｋｅｙ３１が接続されていないと判定された場合、電源制御部１９は、電源をＯＮ状態からＯＦＦ状態へ遷移させる（Ｓ２１１）。外部Ｋｅｙ検出モジュール２２において外部Ｋｅｙ３１が接続されていると判定された場合、ステップＳ２０３以降の処理を実行する。ステップＳ２０３〜Ｓ２１１は、図４におけるステップＳ１０２〜Ｓ１１０と同様であるため、詳細な説明を省略する。
【００４７】
以上説明したように、本発明の実施の形態２にかかる携帯電話端末２１を用いることにより、外部Ｋｅｙ３１が装着されているか否かに応じて、携帯電話端末２１を使用することができるか否かを制御することができる。これにより、実施の形態１における携帯電話端末１よりもセキュリティ性を向上させることができ、携帯電話端末２１の不正使用を防止することができる。
【００４８】
上述の実施の形態では、本発明をハードウェアの構成として説明したが、本発明は、これに限定されるものではない。本発明は、図４及び図６における制御部１５の処理を、ＣＰＵ（Central Processing Unit）にコンピュータプログラムを実行させることにより実現することも可能である。）
【００４９】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５０】
なお、本発明は上記実施の形態に限られたものではなく、趣旨を逸脱しない範囲で適宜変更することが可能である。
【符号の説明】
【００５１】
１  携帯電話端末
２  ＰＣ
１１  無線モジュール
１２  ＧＰＳモジュール
１３  記憶モジュール
１４  外部Ｉ／Ｆ
１５  制御部
１６  ＭＡＣアドレス比較部
１７  位置情報比較部
１８  外部機器接続検出部
１９  電源制御部
２１  携帯電話端末
２２  外部Ｋｅｙ検出モジュール
３１  外部Ｋｅｙ
１０１  無線端末機
１０２  位置判定部
１０３  機器判定部
１０４  制御部
１１０  通信手段
１１１  外部機器
【図１】
2014027472.tif 000003
【図２】
2014027472.tif 000004
【図３】
2014027472.tif 000005
【図４】
2014027472.tif 000006
【図５】
2014027472.tif 000007
【図６】
2014027472.tif 000008